(57)【要約】【課題】各搬送部の搬送路で有価媒体の詰まり等の異常が発生した場合でも、筐体の内部で可動ガイド部を開くことにより当該搬送路から有価媒体を取り除くことができるため、設置する際に必要なスペースを小さくすることができる有価媒体処理装置を提供する。【解決手段】有価媒体処理装置（例えば、貨幣入金機１）は、筐体１ａの内部において直列に並ぶよう設けられた複数の搬送部５６、５８、６０を備えており、各搬送部５６、５８、６０は、筐体１ａの内部で移動可能な可動ガイド部（例えば、可動ガイド部分５６ａ、５８ａ、６０ａ）を有している。【選択図】図６
2017083983.tif 000002
【特許請求の範囲】
【請求項１】
筐体と、
前記筐体の内部において直列に並ぶよう設けられた複数の搬送部と、
を備え、
各前記搬送部は、前記筐体の内部で移動可能な可動ガイド部を有している、有価媒体処理装置。
【請求項２】
各前記搬送部は、前記可動ガイド部に対向するよう設けられた、前記筐体の内部で移動可能な他の可動ガイド部または前記筐体の内部で位置が固定された固定ガイド部を更に有しており、
各前記搬送部において、前記可動ガイド部と、前記他の可動ガイド部または前記固定ガイド部との間に形成される搬送路に沿って有価媒体が搬送されるようになっている、請求項１記載の有価媒体処理装置。
【請求項３】
直列に並ぶよう設けられた複数の前記搬送部のうち隣り合うある一対の前記搬送部において、各前記搬送部の各前記可動ガイド部が、一対の前記搬送部の境界箇所側から開くようになっている、請求項１または２記載の有価媒体処理装置。
【請求項４】
各前記搬送部の各前記可動ガイド部が一対の前記搬送部の境界箇所側から開くようになっている一対の前記搬送部のうち、有価媒体の搬送方向における下流側の前記搬送部には、有価媒体の識別を行う識別部が設けられている、請求項３記載の有価媒体処理装置。
【請求項５】
複数の前記搬送部の前記可動ガイド部のうち一部の前記可動ガイド部が前記識別部の一部を構成している、請求項４記載の有価媒体処理装置。
【請求項６】
複数の前記搬送部のうち少なくとも１つの前記搬送部の前記可動ガイド部は透明または半透明の材料から構成されている、請求項１乃至５のいずれか一項に記載の有価媒体処理装置。
【請求項７】
複数の前記搬送部のうち少なくとも１つの前記搬送部における、前記可動ガイド部と、前記他の可動ガイド部または前記固定ガイド部との間に形成される搬送路には複数のターン部分が設けられているとともに前記可動ガイド部は各前記ターン部分の内側に配置されている、請求項２記載の有価媒体処理装置。
【請求項８】
複数の前記搬送部のうち少なくとも１つの前記搬送部の前記搬送路は前記筐体の手前側に向かって斜め下向きとなるよう水平面および鉛直面に対してそれぞれ傾斜している、請求項２記載の有価媒体処理装置。
【請求項９】
前記搬送路が前記筐体の手前側に向かって斜め下向きとなるよう水平面および鉛直面に対してそれぞれ傾斜している前記搬送部と、当該搬送部の下方に位置する他の前記搬送部とを区画する仕切り部材には、有価媒体よりも小さい貫通穴が設けられている、請求項８記載の有価媒体処理装置。
【請求項１０】
前記筐体に設けられ、開閉可能となっているカバーを更に備え、
前記カバーを開くことにより前記筐体の内部に設けられた各前記搬送部にアクセスすることができるようになっている、請求項１乃至９のいずれか一項に記載の有価媒体処理装置。
【請求項１１】
前記筐体の外部から内部に有価媒体を投入するための投入口が前記カバーに設けられており、前記投入口を介して前記筐体の外部から内部に投入された有価媒体が各前記搬送部により搬送されるようになっている、請求項１０記載の有価媒体処理装置。
【請求項１２】
前記カバーは前記筐体の上部に設けられており、当該カバーは前記筐体から上方に開くようになっている、請求項１０または１１記載の有価媒体処理装置。
【発明の詳細な説明】
【技術分野】
【０００１】
本発明は、紙幣や硬貨等の貨幣や、小切手や商品券等の有価証券からなる有価媒体の処理を行う有価媒体処理装置に関する。
【背景技術】
【０００２】
紙幣や硬貨等の貨幣や、小切手や商品券等の有価証券からなる有価媒体の入金処理等の様々な処理を行う有価媒体処理装置として従来から様々なタイプのものが知られている。例えば、特許文献１には、入金された紙幣を収納するとともに収納された紙幣を必要に応じて出金させる等の処理を行う紙幣処理機が開示されている。特許文献１に開示される紙幣処理機では、紙幣を搬送するための搬送部ユニットと、大量の紙幣を収納可能なスタッカがセットされる収納部ユニット等とに分かれた構成となっており、これらの各ユニットがそれぞれ筐体の前面から手前側に引き出し可能となっている。
【先行技術文献】
【特許文献】
【０００３】
【特許文献１】特許第３５５８８７０号
【発明の概要】
【発明が解決しようとする課題】
【０００４】
特許文献１等に開示されるような従来の紙幣処理機では、搬送部ユニットにおいて紙幣が詰まってしまう等の異常が発生した場合に、搬送部ユニットの搬送路から紙幣を取り除くために、筐体内に収容された搬送部ユニットを手前側に引き出す必要がある。しかしながら、このような従来の紙幣処理機を設置する際に、装置そのものの設置スペースではなく、装置の筐体内に収容された各ユニットを最大限に引き出すのに必要なスペース（保守用スペース）を考慮して紙幣処理機を設置しなければならず、小型の店舗等には当該紙幣処理機を設置しにくいという問題があった。
【０００５】
本発明は、このような点を考慮してなされたものであり、設置する際に必要なスペースを小さくすることができる有価媒体処理装置を提供することを目的とする。
【課題を解決するための手段】
【０００６】
本発明の有価媒体処理装置は、筐体と、前記筐体の内部において直列に並ぶよう設けられた複数の搬送部と、を備え、各前記搬送部は、前記筐体の内部で移動可能な可動ガイド部を有していることを特徴とする。
【０００７】
このような有価媒体処理装置によれば、筐体の内部において直列に並ぶよう設けられた複数の搬送部の各々が、筐体の内部で移動可能な可動ガイド部を有していることにより、各搬送部の搬送路で有価媒体の詰まり等の異常が発生した場合でも、筐体の内部で可動ガイド部を開くことにより当該搬送路から有価媒体を取り除くことができるため、搬送部ユニットを筐体の手前側に引き出すような構成の従来の硬貨処理装置と比較して、設置する際に必要なスペースを小さくすることができる。ここで、本発明の有価媒体処理装置では、筐体の内部で有価媒体を搬送する搬送部が複数に分割されており、分割された各搬送部にそれぞれ可動ガイド部が設けられているため、有価媒体の搬送方向における可動ガイド部の長さが比較的短くなり、よって各可動ガイド部の移動範囲を筐体の内部に設定しやすくなる。
【０００８】
本発明の有価媒体処理装置においては、各前記搬送部は、前記可動ガイド部に対向するよう設けられた、前記筐体の内部で移動可能な他の可動ガイド部または前記筐体の内部で位置が固定された固定ガイド部を更に有しており、各前記搬送部において、前記可動ガイド部と、前記他の可動ガイド部または前記固定ガイド部との間に形成される搬送路に沿って有価媒体が搬送されるようになっていてもよい。
【０００９】
本発明の有価媒体処理装置においては、直列に並ぶよう設けられた複数の前記搬送部のうち隣り合うある一対の前記搬送部において、各前記搬送部の各前記可動ガイド部が、一対の前記搬送部の境界箇所側から開くようになっていてもよい。
【００１０】
この場合、各前記搬送部の各前記可動ガイド部が一対の前記搬送部の境界箇所側から開くようになっている一対の前記搬送部のうち、有価媒体の搬送方向における下流側の前記搬送部には、有価媒体の識別を行う識別部が設けられていてもよい。
【００１１】
また、複数の前記搬送部の前記可動ガイド部のうち一部の前記可動ガイド部が前記識別部の一部を構成していてもよい。
【００１２】
本発明の有価媒体処理装置においては、複数の前記搬送部のうち少なくとも１つの前記搬送部の前記可動ガイド部は透明または半透明の材料から構成されていてもよい。
【００１３】
本発明の有価媒体処理装置においては、複数の前記搬送部のうち少なくとも１つの前記搬送部における、前記可動ガイド部と、前記他の可動ガイド部または前記固定ガイド部との間に形成される搬送路には複数のターン部分が設けられているとともに前記可動ガイド部は各前記ターン部分の内側に配置されていてもよい。
【００１４】
本発明の有価媒体処理装置においては、複数の前記搬送部のうち少なくとも１つの前記搬送部の前記搬送路は前記筐体の手前側に向かって斜め下向きとなるよう水平面および鉛直面に対してそれぞれ傾斜していてもよい。
【００１５】
この場合、前記搬送路が前記筐体の手前側に向かって斜め下向きとなるよう水平面および鉛直面に対してそれぞれ傾斜している前記搬送部と、当該搬送部の下方に位置する他の前記搬送部とを区画する仕切り部材には、有価媒体よりも小さい貫通穴が設けられていてもよい。
【００１６】
本発明の有価媒体処理装置は、前記筐体に設けられ、開閉可能となっているカバーを更に備え、前記カバーを開くことにより前記筐体の内部に設けられた各前記搬送部にアクセスすることができるようになっていてもよい。
【００１７】
この場合、前記筐体の外部から内部に有価媒体を投入するための投入口が前記カバーに設けられており、前記投入口を介して前記筐体の外部から内部に投入された有価媒体が各前記搬送部により搬送されるようになっていてもよい。
【００１８】
また、前記カバーは前記筐体の上部に設けられており、当該カバーは前記筐体から上方に開くようになっていてもよい。
【発明の効果】
【００１９】
本発明の有価媒体処理装置によれば、各搬送部の搬送路で有価媒体の詰まり等の異常が発生した場合でも、筐体の内部で可動ガイド部を開くことにより当該搬送路から有価媒体を取り除くことができるため、設置する際に必要なスペースを小さくすることができる。
【図面の簡単な説明】
【００２０】
【図１】本発明の実施の形態による貨幣入金機の外観を示す斜視図である。
【図２】図１に示す貨幣入金機における硬貨入金装置の内部を側方から見たときの構成を示す側面図である。
【図３】図２に示す硬貨入金装置の内部における上部領域を上方から見たときの構成を示す上面図である。
【図４】図１に示す貨幣入金機における紙幣入金装置の内部を側方から見たときの構成を示す側面図である。
【図５】図１に示す貨幣入金機における紙幣入金装置の第１搬送部、第２搬送部および第３搬送部の構成の詳細を示す側面図である。
【図６】図５に示す状態から第１搬送部の可動ガイド部分および第２搬送部の可動ガイド部分をそれぞれ開いたときの構成を示す側面図である。
【図７】図５に示す状態から第１搬送部の可動ガイド部分および第２搬送部の可動ガイド部分をそれぞれ開いたときの構成を示す斜視図である。
【図８】図１に示す貨幣入金機の制御系の構成を示す機能ブロック図である。
【図９】図１に示す貨幣入金機の上部カバーを上方に開くとともに操作表示部の支持部を前方に倒したときの紙幣入金装置の内部構成を示す側面図である。
【図１０】図１に示す貨幣入金機の上部カバーを上方に開いたときの外観を示す斜視図である。
【図１１】図１に示す貨幣入金機の上部カバーを図１０に示すように上方に開いたときの第２搬送部の可動ガイド部分の構成を示す斜視図である。
【図１２】図１１に示す状態から第２搬送部の可動ガイド部分を前方に開いたときの当該可動ガイド部分の構成を示す斜視図である。
【図１３】図１に示す貨幣入金機の上部カバーを図１０に示すように上方に開いたときの第１搬送部の可動ガイド部分の構成を示す斜視図である。
【図１４】図１３に示す状態から第１搬送部の可動ガイド部分を上方に開いたときの当該可動ガイド部分の構成を示す斜視図である。
【図１５】図１０に示す状態から操作表示部の支持部を前方に倒したときの外観を示す斜視図である。
【図１６】図１０に示す状態から操作表示部の支持部を前方に倒したときの第３搬送部の可動ガイド部分の構成を示す斜視図である。
【図１７】図１６に示す状態から第３搬送部の可動ガイド部分を上方に開いたときの当該可動ガイド部分の構成を示す斜視図である。
【図１８】図１に示す貨幣入金機の上部カバーを上方に開いたときの紙幣入金装置の内部構成の一部を示す側面図である。
【図１９】図１８に示す状態から第２搬送部の可動ガイド部分を前方に開いたときの紙幣入金装置の内部構成の一部を示す側面図である。
【図２０】図１９に示す状態から第１搬送部の可動ガイド部分を上方に開いたときの紙幣入金装置の内部構成の一部を示す側面図である。
【図２１】図１８に示す状態から操作表示部の支持部を前方に倒したときの紙幣入金装置の内部構成の一部を示す側面図である。
【図２２】図２１に示す状態から第３搬送部の可動ガイド部分を上方に開いたときの紙幣入金装置の内部構成の一部を示す側面図である。
【発明を実施するための形態】
【００２１】
以下、図面を参照して本発明の実施の形態について説明する。本実施の形態による貨幣入金機は、硬貨や紙幣等の貨幣の入金処理や計数処理を行うものであり、このような貨幣入金機はスーパーマーケットやショッピングモール等の商業施設における出納室に設置されたり、自動販売機のメンテナンス会社の営業所に設置されたりするようになっている。図１乃至図２２は、本実施の形態による貨幣入金機を示す図である。このうち、図１は、本実施の形態による貨幣入金機の外観を示す斜視図であり、図２および図３は、図１に示す貨幣入金機における硬貨入金装置の内部の構成を示す側面図や上面図であり、図４は、図１に示す貨幣入金機における紙幣入金装置の内部の構成を示す側面図である。また、図５乃至図７は、それぞれ、図１に示す貨幣入金機における紙幣入金装置の第１搬送部、第２搬送部および第３搬送部の構成の詳細を示す側面図や斜視図である。また、図８は、図１に示す貨幣入金機の制御系の構成を示す機能ブロック図である。また、図９は、図１に示す貨幣入金機の上部カバーを上方に開くとともに操作表示部の支持部を前方に倒したときの紙幣入金装置の内部構成を示す側面図である。また、図１０乃至図１７は、図１に示す貨幣入金機の筐体内で紙幣のジャム（詰まり）等の異常が発生したときに、エラー解除のために筐体の内部から外部にジャムの要因となる紙幣を取り出す際の動作を示す斜視図である。また、図１８乃至図２２は、図１に示す貨幣入金機の筐体内で紙幣のジャム（詰まり）等の異常が発生したときに、エラー解除のために筐体の内部から外部にジャムの要因となる紙幣を取り出す際における紙幣入金装置の内部構成の一部を示す側面図である。
【００２２】
まず、本実施の形態による貨幣入金機１の構成について図１乃至図８を用いて説明する。図１は、本実施の形態による貨幣入金機１の外観を示す斜視図である。図１に示すように、本実施の形態による貨幣入金機１は略直方体形状の筐体１ａを有している。また、貨幣入金機１の筐体１ａを手前側から見て当該貨幣入金機１の左側部分には硬貨の入金処理や計数処理を行う硬貨入金装置１０が設けられており、一方、貨幣入金機１の筐体１ａを手前側から見て当該貨幣入金機１の右側部分には紙幣の入金処理や計数処理を行う紙幣入金装置５０が設けられている。また、図１に示すように、貨幣入金機１の筐体１ａの上部には上部カバー２が設けられており、この上部カバー２を上方に開くことにより操作者は硬貨入金装置１０や紙幣入金装置５０の内部にアクセスすることができるようになっている（図９や図１０等参照）。より詳細には、上部カバー２は水平方向に延びる軸２ｐを中心として図１に示す状態から上方に回転することができるようになっている。ここで、硬貨入金装置１０の投入部１２（後述）における硬貨の投入口および紙幣入金装置５０の投入部５２（後述）における紙幣の投入口はそれぞれ上部カバー２に設けられている。一方、後述する操作表示部８６、８８は上部カバー２とは別に設けられており、上部カバー２を上方に開いても操作表示部８６、８８の位置は変化しないようになっている（図１０参照）。
【００２３】
また、本実施の形態の貨幣入金機１には、上部カバー２が上方に開かれたときにこのことを検知する上部カバー開閉検知センサ（図示せず）が設けられている。また、本実施の形態の貨幣入金機１には、上部カバー２を閉状態でロックするためのロック部（図示せず）が設けられており、貨幣入金機１において硬貨や紙幣の計数処理や入金処理が行われているときにはロック部により上部カバー２が閉状態にロックされて当該上部カバー２を上方に開くことができないようになっている。
【００２４】
次に、本実施の形態の貨幣入金機１における硬貨入金装置１０の構成について図２および図３を用いて説明する。上述したように、図２は、硬貨入金装置１０の内部を側方から見たときの構成を示す側面図であり、図３は、図２に示す硬貨入金装置１０の内部における上部領域を上方から見たときの構成を示す上面図である。図２および図３に示すように、硬貨入金装置１０は、筐体１ａの外部から内部に硬貨を投入するための投入部１２と、投入部１２により筐体１ａの内部に投入された硬貨を搬送するための搬送部１４と、搬送部１４により搬送される硬貨の金種、真偽、正損、搬送状態等の識別を行う識別部１６とを備えている。
【００２５】
より詳細には、図２および図３に示すように、投入部１２には、水平状態となるよう配置された円盤形状の回転盤１３が設けられており、当該回転盤１３が回転することにより、筐体１ａの外部から投入されこの回転盤１３の上に載置された硬貨が１枚ずつ当該回転盤１３から搬送部１４に繰り出されるようになっている。また、投入部１２には、筐体１ａの外部から当該投入部１２に投入された硬貨を検知するための投入硬貨検知センサ（図示せず）が設けられている。また、図１に示すように、筐体１ａの上面には硬貨の投入口の開閉を行うシャッタ１２ａが設けられており、当該シャッタ１２ａが開かれたときに操作者は筐体１ａの外部から投入部１２に硬貨を投入することができるようになっている。このようなシャッタ１２ａは操作者が手動で開閉を行うことができるようになっている。
【００２６】
また、搬送部１４は、図３において矢印で示す方向に循環移動を行う無端状の搬送ベルト１４ａと、当該搬送ベルト１４ａが張架される複数のプーリ１４ｂ、１４ｃとを有しており、複数のプーリ１４ｂ、１４ｃのうちある一つのプーリ１４ｂには当該プーリ１４ｂを回転駆動させる駆動モータ（図示せず）が設けられている。また、無端状の搬送ベルト１４ａには、当該搬送ベルト１４ａの長手方向に沿って複数の突起が間隔を空けて設けられており、各突起により硬貨が１枚ずつ押動されて搬送されるようになっている。このような搬送部１４において、駆動モータがプーリ１４ｂを回転駆動させることにより無端状の搬送ベルト１４ａが図３において矢印で示す方向に循環移動し、このことにより投入部１２により筐体１ａの内部に投入された硬貨が１枚ずつ搬送ベルト１４ａにより搬送されるようになる。
【００２７】
また、搬送部１４には、識別部１６による硬貨の識別結果に基づいて硬貨の振り分けを行う振分機構１８が設けられている。具体的には、振分機構１８は、識別部１６により正常な硬貨であると識別された硬貨を当該搬送部１４から分岐させて後述する一時保留部２６に送るようになっている。より詳細に説明すると、搬送部１４において硬貨が搬送される搬送面において振分機構１８の近傍には開口が設けられている。そして、振分機構１８が搬送部１４における硬貨の搬送面から上方に突出した突出位置に移動すると、搬送部１４の搬送ベルト１４ａにより搬送される硬貨が当該開口を介して搬送部１４から下方に落下して後述する一時保留部２６に送られるようになる。また、搬送部１４の下流側端部の近傍には開口２０が設けられており、振分機構１８により搬送部１４から分岐されなかった硬貨、すなわち識別部１６により正常な硬貨ではないと識別された硬貨や識別部１６により識別することができなかった硬貨がリジェクト硬貨として当該開口２０から下方に落下し、後述するリジェクト部２８に送られるようになっている。
【００２８】
図２に示すように、硬貨入金装置１０において搬送部１４の下方には一時保留部２６およびリジェクト部２８がそれぞれ設けられている。ここで、一時保留部２６は、硬貨入金装置１０の奥行き方向（すなわち、図２における左右方向）において移動可能となっており、図２において実線や二点鎖線で示される３箇所の位置に移動することができるようになっている。また、一時保留部２６は、その頂部および底部に開口が設けられた略直方体形状の枠体を有している。また、図２における中央位置にある一時保留部２６と、搬送部１４における硬貨の搬送面において振分機構１８の近傍に設けられた開口との間には一時保留用シュート２２が設けられており、振分機構１８により振り分けられた硬貨は一時保留用シュート２２を通って一時保留部２６に送られるようになっている。また、リジェクト部２８と、搬送部１４の下流側端部の近傍に設けられた開口２０との間にはリジェクト用シュート２４が設けられており、開口２０から落下したリジェクト硬貨はリジェクト用シュート２４を通ってリジェクト部２８に送られるようになっている。
【００２９】
図１に示すように、リジェクト部２８は貨幣入金機１の筐体１ａの前面側から操作者がアクセスすることができるようになっており、このリジェクト部２８にリジェクト硬貨が送られると、操作者はリジェクト部２８からリジェクト硬貨を取り出すことができるようになっている。
【００３０】
また、硬貨入金装置１０の奥行き方向において手前側に位置する一時保留部２６（すなわち、図２において左側に位置する一時保留部２６）の下方には硬貨返却箱３０が設けられており、一時保留部２６が図２における中央の位置から左側の位置に移動すると、当該一時保留部２６に一時的に保留されている硬貨がこの一時保留部２６から自重により落下して硬貨返却箱３０に送られるようになっている。このような硬貨返却箱３０は筐体１ａから手前側に引き出し可能となっている。具体的には、硬貨返却箱３０を筐体１ａの内部にロックするためのロック部３１（図８参照）が設けられており、当該ロック部３１によるロック状態が解除されると、硬貨返却箱３０を筐体１ａから手前側に引き出すことができるようになる。また、図１に示すように、硬貨返却箱３０の前面には、操作者が把持するための把持部分３０ａが設けられており、ロック部３１によるロック状態が解除された後、操作者が把持部分３０ａを把持して硬貨返却箱３０を筐体１ａから手前側に引き出すことにより、硬貨返却箱３０に収納されている硬貨を筐体１ａの外部に返却することができるようになる。
【００３１】
また、硬貨入金装置１０の内部における下部領域には硬貨収納カセット４０が収容されており、硬貨入金装置１０の奥行き方向において奥側に位置する一時保留部２６（すなわち、図２において右側に位置する一時保留部２６）と、硬貨収納カセット４０との間には収納用シュート３２が設けられている。このことにより、一時保留部２６が図２における中央の位置から右側の位置に移動すると、当該一時保留部２６に一時的に保留されている硬貨がこの一時保留部２６から自重により落下して、収納用シュート３２を介して硬貨収納カセット４０に送られ、当該硬貨収納カセット４０に収納されるようになる。なお、硬貨収納カセット４０は筐体１ａの外部に取り出すことができるようになっている。具体的には、図１に示すように貨幣入金機１の筐体１ａの前面における下部領域には、警送会社の警備員等の所定の権限を有する者しか開くことができない扉１ｂが設けられており、この扉１ｂを開くことにより硬貨収納カセット４０を筐体１ａの外部に取り出すことができるようになる。警送会社の警備員等により筐体１ａの外部に取り出された硬貨収納カセット４０は、警送会社の管理本部や現金処理センターに運搬され、硬貨収納カセット４０から取り出された硬貨がこの管理本部等で管理されるようになる。
【００３２】
次に、本実施の形態の貨幣入金機１における紙幣入金装置５０の構成について図４乃至図７を用いて説明する。上述したように、図４は、紙幣入金装置５０の内部を側方から見たときの構成を示す側面図であり、図５は、紙幣入金装置５０の第１搬送部５６、第２搬送部５８および第３搬送部６０の構成の詳細を示す側面図である。また、図６は、図５に示す状態から第１搬送部５６の可動ガイド部分５６ａおよび第２搬送部５８の可動ガイド部分５８ａをそれぞれ開いたときの構成を示す側面図であり、図７は、図５に示す状態から第１搬送部５６の可動ガイド部分５６ａおよび第２搬送部５８の可動ガイド部分５８ａをそれぞれ開いたときの構成を示す斜視図である。
【００３３】
図４に示すように、紙幣入金装置５０は、筐体１ａの外部から紙幣が束状態で投入される投入部５２と、投入部５２に投入された紙幣を１枚ずつ筐体１ａの内部に繰り出すための繰出機構５４と、繰出機構５４により筐体１ａの内部に繰り出された紙幣を筐体１ａ内でそれぞれ搬送するための第１搬送部５６、第２搬送部５８および第３搬送部６０とを備えている。ここで、第１搬送部５６、第２搬送部５８および第３搬送部６０は筐体１ａの内部で直列に並ぶよう設けられている。また、第２搬送部５８には、当該第２搬送部５８により搬送される紙幣の金種、真偽、正損、搬送状態等の識別を行う識別部５８ｃが設けられている。また、図１に示すように、筐体１ａの上面には紙幣の投入口の開閉を行うシャッタ５２ａが設けられており、当該シャッタ５２ａが開かれたときに操作者は筐体１ａの外部から投入部５２に紙幣の束を投入することができるようになっている。このようなシャッタ５２ａは操作者が手動で開閉を行うことができるようになっている。また、投入部５２には、筐体１ａの外部から当該投入部５２に投入された紙幣を検知するための投入紙幣検知センサ（図示せず）が設けられている。
【００３４】
また、第３搬送部６０には、識別部５８ｃにより識別された紙幣をリジェクト部６２および一時保留部６４のうちいずれか一方に振り分ける分岐部６０ｃが設けられている。具体的には、分岐部６０ｃにおいて、識別部５８ｃにより正常な紙幣であると識別された紙幣は一時保留部６４に送られるよう振り分けられ、一方、識別部５８ｃにより正常な紙幣ではないと識別された紙幣や識別部５８ｃにより識別することができなかった紙幣はリジェクト紙幣としてリジェクト部６２に送られるよう振り分けられるようになっている。
【００３５】
ここで、図５や図６等に示すように、本実施の形態では、筐体１ａの内部において直列に並ぶよう複数（具体的には、３つ）の搬送部５６、５８、６０が設けられており、各搬送部５６、５８、６０は、筐体１ａの内部で移動可能な可動ガイド部分５６ａ、５８ａ、６０ａと、筐体１ａの内部で位置が固定された固定ガイド部分５６ｂ、５８ｂ、６０ｂとを有している。そして、各搬送部５６、５８、６０において、可動ガイド部分５６ａ、５８ａ、６０ａと固定ガイド部分５６ｂ、５８ｂ、６０ｂとの間に形成される搬送路に沿って紙幣が搬送されるようになっている。
【００３６】
より詳細には、図５や図６等に示すように、第１搬送部５６は、筐体１ａの内部で手前側上方に開くことができる可動ガイド部分５６ａと、筐体１ａの内部で位置が固定された固定ガイド部分５６ｂとを有しており、これらの可動ガイド部分５６ａと固定ガイド部分５６ｂとの間に形成される搬送路に沿って紙幣が搬送されるようになっている。ここで、可動ガイド部分５６ａの上端部分には水平方向に延びる軸５６ｐが設けられており、この軸５６ｐを中心として図５に示す状態から可動ガイド部分５６ａを時計回りの方向に回転させることにより図６に示すように可動ガイド部分５６ａを手前側上方に開き、可動ガイド部分５６ａと固定ガイド部分５６ｂとの間に形成される搬送路に残留する紙幣を外部へ取り出すことができるようになっている。また、図５に示すように、可動ガイド部分５６ａと固定ガイド部分５６ｂとの間に形成される搬送路には複数のターン部分５６ｔが設けられており、各ターン部分５６ｔにおいて紙幣の搬送方向が少しずつ変えられるようになっている。また、可動ガイド部分５６ａは各ターン部分５６ｔの内側に配置されている。このような搬送路のターン部分５６ｔでは紙幣がターン部分５６ｔに沿って湾曲するため、紙幣の先端や破れ部分が可動ガイド部分５６ａ等の境目等に引っ掛かることで紙幣が詰まりやすくなるが、各ターン部分５６ｔの内側に可動ガイド部分５６ａを配置することにより各ターン部分５６ｔで紙幣が詰まった場合に可動ガイド部分５６ａを開くことにより各ターン部分５６ｔで詰まった紙幣を取り出しやすくなる。また、本実施の形態では可動ガイド部分５６ａは透明または半透明の材料から構成されている。この場合には、筐体１ａの内部で紙幣の詰まり等の異常が発生したときに、筐体１ａの上部カバー２を開くだけで第１搬送部５６の搬送路で詰まった紙幣を容易に発見することができるようになる。
【００３７】
また、図５や図６等に示すように、第２搬送部５８は、筐体１ａの内部で手前側に開くことができる可動ガイド部分５８ａと、筐体１ａの内部で位置が固定された固定ガイド部分５８ｂとを有しており、これらの可動ガイド部分５８ａと固定ガイド部分５８ｂとの間に形成される搬送路に沿って紙幣が搬送されるようになっている。ここで、可動ガイド部分５８ａの下端部分には水平方向に延びる軸５８ｐが設けられており、この軸５８ｐを中心として図５に示す状態から可動ガイド部分５８ａを反時計回りの方向に回転させることにより図６に示すように可動ガイド部分５８ａを手前側に開き、可動ガイド部分５８ａと固定ガイド部分５８ｂとの間に形成される搬送路に残留する紙幣を外部へ取り出すことができるようになっている。また、図１１や図１８等に示すように、可動ガイド部分５８ａの上端部分には取っ手５８ｄが設けられており、操作者はこの取っ手５８ｄを指で持つことにより可動ガイド部分５８ａを図５に示す状態から手前側に開くことができるようになっている。また、可動ガイド部分５８ａには例えばラインセンサ等からなる識別部５８ｃが設けられており、可動ガイド部分５８ａと固定ガイド部分５８ｂとの間に形成される搬送路に沿って搬送される紙幣の金種、真偽、正損、搬送状態等が識別部５８ｃにより識別されるようになっている。ここで、図６に示すように、筐体１ａの内部で可動ガイド部分５８ａが手前側に開かれると、識別部５８ｃも可動ガイド部分５８ａと一体的に移動するようになっている。
【００３８】
また、図１８乃至図２２に示すように、第２搬送部５８の可動ガイド部分５８ａの上方には、当該可動ガイド部分５８ａに設けられた取っ手５８ｄに光を照射するＬＥＤ照明等の照明部６６が設けられている。そして、この照明部６６により取っ手５８ｄに光が照射されることにより、操作者は上部カバー２を筐体１ａから上方に開いた後、可動ガイド部分５８ａを前方に開く際にどの部分を操作すれば良いかが一目で分かるようになり、操作者にとっての利便性を向上させることができる。なお、可動ガイド部分５８ａの上方に照明部６６を設ける代わりに、可動ガイド部分５８ａに設けられた取っ手５８ｄ自体にＬＥＤ照明等の照明部（発光部）を設けてもよい。この場合でも、操作者は上部カバー２を筐体１ａから上方に開いた後、可動ガイド部分５８ａを前方に開く際にどの部分を操作すれば良いかが一目で分かるようになる。
【００３９】
また、本実施の形態では、図６に示すように、隣り合う一対の搬送部５６、５８において、各搬送部５６、５８の可動ガイド部分５６ａ、５８ａが、一対の搬送部５６、５８の境界箇所側から開くようになっている。すなわち、第１搬送部５６の可動ガイド部分５６ａはその上端部分に設けられた軸５６ｐを中心として回転するようになっており、一方、第２搬送部５８の可動ガイド部分５８ａはその下端部分に設けられた軸５８ｐを中心として回転するようになっている。このことにより、第１搬送部５６の可動ガイド部分５６ａおよび第２搬送部５８の可動ガイド部分５８ａの境界から、可動ガイド部分５６ａを上方向に開くとともに可動ガイド部分５８ａを下方向に開くことができるようになる。この場合には、筐体１ａの内部で紙幣の詰まり等の異常が発生したときに、可動ガイド部分５６ａを上方向に開くとともに可動ガイド部分５８ａを下方向に開くことによって、第１搬送部５６や第２搬送部５８の搬送路で詰まった紙幣を容易に発見することができるようになる。
【００４０】
また、図２１や図２２等に示すように、第３搬送部６０は、筐体１ａの内部で奥側上方に開くことができる可動ガイド部分６０ａと、筐体１ａの内部で位置が固定された固定ガイド部分６０ｂとを有しており、これらの可動ガイド部分６０ａと固定ガイド部分６０ｂとの間に形成される搬送路に沿って紙幣が搬送されるようになっている。ここで、可動ガイド部分６０ａの後端部分には水平方向に延びる軸６０ｐが設けられており、この軸６０ｐを中心として図２１に示す状態から可動ガイド部分６０ａを時計回りの方向に回転させることにより図２２に示すように可動ガイド部分６０ａを奥側上方に開き、可動ガイド部分６０ａと固定ガイド部分６０ｂとの間に形成される搬送路に残留する紙幣を外部へ取り出すことができるようになっている。また、固定ガイド部分６０ｂには例えば分岐爪等の分岐部６０ｃが設けられており、この分岐部６０ｃにより、識別部５８ｃにより識別された紙幣をリジェクト部６２および一時保留部６４のうちいずれか一方に振り分けることができるようになっている。なお、図２２に示すように、筐体１ａの内部で可動ガイド部分６０ａが奥側上方に開かれても分岐部６０ｃは移動しないようになっている。また、図５に示すように、可動ガイド部分６０ａと固定ガイド部分６０ｂとの間に形成される搬送路には複数のターン部分６０ｔが設けられており、各ターン部分６０ｔにおいて紙幣の搬送方向が少しずつ変えられるようになっている。また、可動ガイド部分６０ａは各ターン部分６０ｔの内側に配置されている。このような搬送路のターン部分６０ｔでは紙幣がターン部分６０ｔに沿って湾曲するため、紙幣の先端や破れ部分が可動ガイド部分６０ａ等の境目等に引っ掛かることで紙幣が詰まりやすくなるが、各ターン部分６０ｔの内側に可動ガイド部分６０ａを配置することにより各ターン部分６０ｔで紙幣が詰まった場合に可動ガイド部分６０ａを開くことにより各ターン部分６０ｔで詰まった紙幣を取り出しやすくなる。また、本実施の形態では可動ガイド部分６０ａは透明または半透明の材料から構成されている。この場合には、筐体１ａの内部で紙幣の詰まり等の異常が発生したときに、筐体１ａの上部カバー２を開くだけで第３搬送部６０の搬送路で詰まった紙幣を容易に発見することができるようになる。
【００４１】
また、図５等に示すように、複数の搬送部５６、５８、６０のうちある搬送部（具体的には、第２搬送部５８）の搬送路は、筐体１ａの手前側（すなわち、図５における左側）に向かって斜め下向きとなるよう水平面および鉛直面に対してそれぞれ傾斜している。この場合には、第２搬送部５８の可動ガイド部分５８ａを開くことにより、この可動ガイド部分５８ａと固定ガイド部分５６ｂとの間に形成される搬送路に残留するクリップ等の異物が自重により固定ガイド部分５６ｂに沿って斜め下方に移動するようになる。また、図５乃至図７に示すように、第２搬送部５８と第３搬送部６０との間には、これらの第２搬送部５８および第３搬送部６０を区画する仕切り部材５９が設けられているとともに、仕切り部材５９には紙幣よりも小さな貫通穴５９ａが複数設けられている。この場合には、第２搬送部５８の可動ガイド部分５８ａを開くことにより固定ガイド部分５６ｂに沿って斜め下方に移動したクリップ等の異物が仕切り部材５９の各貫通穴５９ａを通過し、第３搬送部６０における軸６０ｐの近傍に位置する所定の異物集積領域６１（図６や図７参照）に当該異物が集積されるようになる。このことにより操作者はクリップ等の異物を取り出しやすくなる。なお、仕切り部材５９の各貫通穴５９ａは紙幣よりも小さいため、第２搬送部５８の可動ガイド部分５８ａを開いても、この可動ガイド部分５８ａと固定ガイド部分５８ｂとの間に形成される搬送路から紙幣が落下して仕切り部材５９の各貫通穴５９ａを通過することはない。また、図２２に示すように第３搬送部６０の可動ガイド部分６０ａを奥側上方に開いた場合にも、この可動ガイド部分６０ａの上面に集積されている埃等の異物がこの可動ガイド部分６０ａから落下して異物集積領域６１に送られ、この異物集積領域６１に埃等の異物が集積されるようになる。
【００４２】
図１に示すように、リジェクト部６２は貨幣入金機１の筐体１ａの前面側から操作者がアクセスすることができるようになっており、このリジェクト部６２にリジェクト紙幣が送られると、操作者はリジェクト部６２からリジェクト紙幣を取り出すことができるようになっている。
【００４３】
また、図４に示すように、紙幣入金装置５０の内部における下部領域において一時保留部６４の真下の位置には紙幣収納カセット７０が収容されている。そして、一時保留部６４に紙幣が一時的に保留された後、入金確定の指令が貨幣入金機１の本体制御部８０（後述）に与えられると、一時保留部６４から紙幣収納カセット７０に紙幣が一括して送られ、この紙幣収納カセット７０に収納されるようになっている。なお、紙幣収納カセット７０は筐体１ａの外部に取り出すことができるようになっている。具体的には、上述したように、貨幣入金機１の筐体１ａの前面における下部領域には扉１ｂが設けられており、この扉１ｂを開くことにより紙幣収納カセット７０を筐体１ａの外部に取り出すことができるようになる。警送会社の警備員等により筐体１ａの外部に取り出された紙幣収納カセット７０は、警送会社の管理本部や現金処理センターに運搬され、紙幣収納カセット７０から取り出された紙幣がこの管理本部等で管理されるようになる。
【００４４】
また、図１に示すように、貨幣入金機１の筐体１ａの前面における一時保留部６４の手前側の位置には扉１ｃが設けられているとともに、当該扉１ｃを閉状態にロックするための扉ロック部６５（図８参照）が設けられている。そして、当該扉ロック部６５による扉１ｃのロック状態が解除されると、操作者は扉１ｃを手前右側に開いて一時保留部６４の内部にアクセスすることができるようになる。このようにして、一時保留部６４に紙幣が一時的に保留された後、返却の指令が貨幣入金機１の本体制御部８０（後述）に与えられると、扉ロック部６５による扉１ｃのロック状態が解除され、操作者は扉１ｃを開くことにより一時保留部６４の内部から紙幣を取り出すことができるようになり、よって筐体１ａの外部に紙幣が返却されるようになる。そして、操作者が手動で扉１ｃを閉じると、扉ロック部６５により扉１ｃが再び閉状態にロックされるようになる。なお、一時保留部６４に一時的に保留された紙幣を紙幣収納カセット７０に収納させる際には、扉ロック部６５による扉１ｃの閉状態のロックが維持されたままとなる。
【００４５】
また、本実施の形態の貨幣入金機１では、硬貨入金装置１０の投入部１２や搬送部１４における図３の参照符合Ａにより二点鎖線で示す箇所の真下に、紙幣入金装置５０の各構成部材の一部が配置されている。このように、筐体１ａの内部で鉛直方向において硬貨入金装置１０の一部および紙幣入金装置５０の一部が重なるようにした場合には、硬貨入金装置１０および紙幣入金装置５０が鉛直方向において全く重ならないときと比較して筐体１ａの幅の大きさを小さくすることができ、よって貨幣入金機１の小型化を図ることができるようになる。
【００４６】
次に、本実施の形態による貨幣入金機１の制御系の構成について図８を用いて説明する。図８に示すように、本実施の形態による貨幣入金機１には、当該貨幣入金機１の各構成部材の制御を行う本体制御部８０が設けられている。また、硬貨入金装置１０には当該硬貨入金装置１０の各構成部材（具体的には、投入部１２、搬送部１４、識別部１６、振分機構１８、一時保留部２６、ロック部３１等）に接続された硬貨制御部８１が設けられており、当該硬貨制御部８１により硬貨入金装置１０の各構成部材が制御されるようになっている。また、紙幣入金装置５０には当該紙幣入金装置５０の各構成部材（具体的には、繰出機構５４、各搬送部５６、５８、６０、識別部５８ｃ、分岐部６０ｃ、一時保留部６４、扉ロック部６５等）に接続された紙幣制御部８２が設けられており、当該紙幣制御部８２により紙幣入金装置５０の各構成部材が制御されるようになっている。図８に示すように、硬貨入金装置１０に設けられた硬貨制御部８１や紙幣入金装置５０に設けられた紙幣制御部８２はそれぞれ本体制御部８０に通信可能に接続されている。
【００４７】
また、図１に示すように、貨幣入金機１の筐体１ａの上面には、プリンタ等の印字部８４、タッチパネル等の２つの操作表示部８６、８８および操作者が携帯するＩＤカード等の記録媒体９２に記憶された情報（具体的には、ＩＤカードのＩＤ情報等）を読み取るための磁気カードリーダ等の読取部９０がそれぞれ設けられており、これらの印字部８４、操作表示部８６、８８、読取部９０はそれぞれ本体制御部８０に通信可能に接続されている。印字部８４は、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報をレシートに印字するようになっている。また、操作表示部８６、８８には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報が表示されるようになっている。また、操作者は、操作表示部８６、８８を操作することにより本体制御部８０に様々な指示を与えることができるようになっている。また、操作者が携帯するＩＤカード等の記録媒体９２には、ＩＤカードのＩＤ情報等の様々な情報を記憶する記憶部９２ａが設けられており、この記録媒体９２を磁気カードリーダ等の読取部９０に通すと、当該記憶部９２ａに記憶された情報が読取部９０により読み取られるようになっている。具体的には、操作者が記録媒体９２を読取部９０に通すことにより、当該操作者の権限を認証することができるようになり、所定の権限を有する操作者のみが貨幣入金機１において貨幣の入金処理や計数処理、回収処理を行うことができるようになる。
【００４８】
また、本実施の形態の貨幣入金機１では、図１等に示すように、操作表示部８６、８８を支持するための支持部４が設けられており、この支持部４を筐体１ａの手前側に開くことができるようになっている。より詳細には、支持部４は、その下端部分（基端部分）に設けられた水平方向に延びる軸４ｐ（図４や図９等参照）を中心として揺動可能となっている。また、図１や図４、図９等に示すように、操作表示部８６、８８を支持するための支持部４は、貨幣入金機１の筐体１ａの前壁部分の少なくとも一部を構成しており、この支持部４は筐体１ａの手前側に開くことができるようになっている。また、支持部４の軸４ｐには、当該支持部４を筐体１ａの手前側に開いた状態から元の所定位置（具体的には、図９において二点鎖線で示す位置）に戻る方向に付勢するための付勢部として例えばねじりバネ等が設けられている。このことにより、操作者が手動で支持部４を筐体１ａの手前側に開いた後、この支持部４から手を離すと当該支持部４は自動的に図９において二点鎖線で示す元の所定位置に戻るようになっている。
【００４９】
また、本実施の形態では、操作表示部８６、８８を支持するための支持部４は、上部カバー２が上方に開かれた状態においてのみ、筐体１ａの手前側に開くことができるようになっている。すなわち、上部カバー２が閉じているときには、支持部４の上端部分が図示しない係合部材によって上部カバー２に係合することにより、当該支持部４を筐体１ａの手前側に開くことができないようになっている。
【００５０】
また、図８に示すように、本体制御部８０には記憶部９４が通信可能に接続されている。このような記憶部９４は貨幣入金機１の筐体１ａの内部に設けられており、当該記憶部９４には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報が記憶されるようになっている。
【００５１】
また、本体制御部８０には通信インターフェース部９８が通信可能に接続されており、本体制御部８０は、この通信インターフェース部９８により、貨幣入金機１の外部に設けられた上位端末等の外部装置と信号の送受信を行うことができるようになっている。
【００５２】
次に、このような構成からなる本実施の形態の貨幣入金機１の動作（具体的には、硬貨入金装置１０や紙幣入金装置５０において硬貨や紙幣の入金処理が行われるときの動作）について説明する。なお、以下に示す貨幣入金機１の動作は、本体制御部８０が当該貨幣入金機１の各構成部材を制御することにより、あるいは本体制御部８０が硬貨制御部８１や紙幣制御部８２を経由して硬貨入金装置１０や紙幣入金装置５０の各構成部材を制御することにより行われるようになっている。
【００５３】
まず、硬貨入金装置１０において硬貨の入金処理が行われるときの動作について以下に説明する。操作者が自己のＩＤカード等の記録媒体９２を読取部９０に通すことにより、当該操作者の権限が認証された後、この操作者が操作表示部８６、８８により入金処理開始の指令を本体制御部８０に与えると、当該操作者は貨幣入金機１の筐体１ａの上面に設けられたシャッタ１２ａを手動で開くことにより筐体１ａの外部から硬貨を投入部１２に投入することができるようになる。投入部１２に投入された硬貨は当該投入部１２に設けられた回転盤１３により１枚ずつ筐体１ａの内部に繰り出され、搬送部１４により搬送される。この際に、識別部１６により硬貨の金種、真偽、正損等の識別が行われる。識別部１６により正常な硬貨であると識別された硬貨は振分機構１８により搬送部１４から分岐させられ、一時保留用シュート２２を介して一時保留部２６に送られ、この一時保留部２６に一時的に保留される。この際に、一時保留部２６は図２における中央の位置に維持される。また、識別部１６により正常な硬貨ではないと識別された硬貨や識別部１６により識別することができなかった硬貨はリジェクト硬貨として開口２０から落下し、リジェクト用シュート２４を介してリジェクト部２８に送られる。上述したように、貨幣入金機１の筐体１ａの前面側から操作者がリジェクト部２８にアクセスすることができるようになっているため、リジェクト部２８にリジェクト硬貨が送られると、操作者はリジェクト部２８からリジェクト硬貨を取り出すことができるようになる。
【００５４】
投入部１２に投入された硬貨が全て当該投入部１２に設けられた回転盤１３により筐体１ａの内部に繰り出されて一時保留部２６またはリジェクト部２８に送られると、操作表示部８６、８８には入金確定の承認を求めるメッセージが表示される。そして、操作者が入金確定の指令を操作表示部８６、８８により本体制御部８０に入力すると、一時保留部２６は図２における中央の位置から右側の位置に移動し、この一時保留部２６に一時的に保留されている硬貨が当該一時保留部２６から自重により落下し、収納用シュート３２を介して硬貨収納カセット４０に送られ、この硬貨収納カセット４０に収納されるようになる。一方、操作者が入金確定の指令の代わりに返却の指令を操作表示部８６、８８により本体制御部８０に入力すると、一時保留部２６は図２における中央の位置から左側の位置に移動し、この一時保留部２６に一時的に保留された硬貨が当該一時保留部２６から自重により落下して硬貨返却箱３０に送られるようになる。また、返却の指令が本体制御部８０に入力されると、ロック部３１によるロック状態が解除され、硬貨返却箱３０は筐体１ａから手前側に引き出し可能となる。その後、操作者が把持部分３０ａを把持して硬貨返却箱３０を筐体１ａから手前側に引き出すことにより、硬貨返却箱３０に収納されている硬貨が筐体１ａの外部に返却される。
【００５５】
次に、紙幣入金装置５０において紙幣の入金処理が行われるときの動作について説明する。操作者が自己のＩＤカード等の記録媒体９２を読取部９０に通すことにより、当該操作者の権限が認証された後、この操作者が操作表示部８６、８８により入金処理開始の指令を本体制御部８０に与えると、当該操作者は貨幣入金機１の筐体１ａの上面に設けられたシャッタ５２ａを手動で開くことにより筐体１ａの外部から紙幣の束を投入部５２に投入することができるようになる。投入部５２に紙幣の束が投入されると、シャッタ５２ａを操作者が手動で閉じた後に繰出機構５４によって紙幣が１枚ずつ筐体１ａの内部に繰り出され、筐体１ａの内部で紙幣が各搬送部５６、５８、６０により搬送される。この際に、識別部５８ｃにより紙幣の金種、真偽、正損等の識別が行われる。識別部５８ｃにより正常な紙幣であると識別された紙幣は分岐部６０ｃにより一時保留部６４に送られ、この一時保留部６４に一時的に保留される。また、識別部５８ｃにより正常な紙幣ではないと識別された紙幣や識別部５８ｃにより識別することができなかった紙幣はリジェクト紙幣として分岐部６０ｃによりリジェクト部６２に送られる。上述したように、貨幣入金機１の筐体１ａの前面側から操作者がリジェクト部６２にアクセスすることができるようになっているため、リジェクト部６２にリジェクト紙幣が送られると、操作者はリジェクト部６２からリジェクト紙幣を取り出すことができるようになる。
【００５６】
投入部５２に投入された紙幣が全て繰出機構５４により筐体１ａの内部に繰り出されて一時保留部６４またはリジェクト部６２に送られると、操作表示部８６、８８には入金確定の承認を求めるメッセージが表示される。そして、操作者が入金確定の指令を操作表示部８６、８８により本体制御部８０に入力すると、一時保留部６４に一時的に保留された紙幣が当該一時保留部６４から紙幣収納カセット７０へ送り込まれ、この紙幣収納カセット７０に収納されるようになる。一方、操作者が入金確定の指令の代わりに返却の指令を操作表示部８６、８８により本体制御部８０に入力すると、扉ロック部６５による扉１ｃのロック状態が解除され、操作者は扉１ｃを開くことにより一時保留部６４から紙幣を取り出すことができるようになる。このようにして、一時保留部６４に収納されている紙幣が筐体１ａの外部に返却される。
【００５７】
なお、本実施の形態の貨幣入金機１では、上述した硬貨の入金処理および紙幣の入金処理が同時並行的に行われ、単一の入金確定の指令あるいは返却の指令によって硬貨および紙幣の両方の収納動作または返却動作が行われるようになっている。
【００５８】
また、本実施の形態の貨幣入金機１では、筐体１ａ内で硬貨や紙幣のジャム（詰まり）等の異常が発生したときに、エラー解除のための筐体１ａの外部への硬貨や紙幣の取り出しの手順に係るガイダンス画面が操作表示部８６、８８に表示されるようになっており、操作者は、この操作表示部８６、８８に表示されるガイダンス画面に従って、上部カバー２を筐体１ａから上方に開いた後、筐体１ａの内部に手を入れて当該筐体１ａの内部から外部にジャムの要因となる硬貨や紙幣を取り出すようになっている。このようなエラー解除のために筐体１ａの外部へ硬貨や紙幣を取り出す際の動作について図９乃至図２２を用いて説明する。上述したように、図９は、図１に示す貨幣入金機１の上部カバー２を上方に開くとともに操作表示部８６、８８の支持部４を前方に倒したときの紙幣入金装置５０の内部構成を示す側面図である。また、図１０乃至図１７は、図１に示す貨幣入金機１の筐体１ａ内で紙幣のジャム（詰まり）等の異常が発生したときに、エラー解除のために筐体１ａの内部から外部にジャムの要因となる紙幣を取り出す際の動作を示す斜視図である。また、図１８乃至図２２は、図１に示す貨幣入金機１の筐体１ａ内で紙幣のジャム（詰まり）等の異常が発生したときに、エラー解除のために筐体１ａの内部から外部にジャムの要因となる紙幣を取り出す際における紙幣入金装置５０の内部構成の一部を示す側面図である。なお、以下の説明では、紙幣入金装置５０において紙幣のジャム等の異常が発生したときにこの紙幣入金装置５０から紙幣を取り出してエラー解除を行う際の動作について述べるが、硬貨入金装置１０において硬貨のジャム等の異常が発生したときにも同様の方法で硬貨入金装置１０から硬貨を取り出してエラー解除を行うことができるようになっている。
【００５９】
筐体１ａ内で硬貨や紙幣のジャム（詰まり）等の異常が発生したときには、まず、操作者に対して上部カバー２を筐体１ａから上方に開くことを指示する旨のガイダンス画面が操作表示部８６、８８に表示される。そして、図９や図１０、図１８に示すように、操作者が操作表示部８６、８８に表示されるガイダンス画面に従って上部カバー２を筐体１ａから上方に開くと、当該操作者は紙幣入金装置５０の内部にある各搬送部５６、５８、６０等にアクセスすることができるようになり、これらの各搬送部５６、５８、６０から紙幣を取り出すことができるようになる。上部カバー２を筐体１ａから上方に開いた後、各搬送部５６、５８、６０から紙幣を取り出す際の動作の詳細について以下に説明する。
【００６０】
第１搬送部５６や第３搬送部６０の搬送路で紙幣が詰まっているときには、これらの第１搬送部５６や第３搬送部６０の可動ガイド部分５６ａ、６０ａが透明または半透明の材料から形成されていることにより、操作者は第１搬送部５６や第３搬送部６０の搬送路で詰まった紙幣を容易に発見することができる。そして、操作者が第１搬送部５６の搬送路で紙幣が詰まっていることを発見した場合には、当該操作者は軸５６ｐを中心として可動ガイド部分５６ａを図１８乃至図２０等における時計回りの方向に回転させることにより可動ガイド部分５６ａを手前側上方に開き（図２０参照）、可動ガイド部分５６ａと固定ガイド部分５６ｂとの間に形成される搬送路に残留する紙幣を外部へ取り出すようになる。なお、図１３は、貨幣入金機１の上部カバー２を図１０に示すように上方に開いたときの第１搬送部５６の可動ガイド部分５６ａの構成を示す斜視図であり、図１４は、図１３に示す状態から第１搬送部５６の可動ガイド部分５６ａを上方に開いたときの当該可動ガイド部分５６ａの構成を示す斜視図である。
【００６１】
また、操作者が第３搬送部６０の搬送路で紙幣が詰まっていることを発見した場合には、当該操作者は軸６０ｐを中心として可動ガイド部分６０ａを図２１や図２２における時計回りの方向に回転させることにより当該可動ガイド部分６０ａを奥側上方に開き（図２２参照）、可動ガイド部分６０ａと固定ガイド部分６０ｂとの間に形成される搬送路に残留する紙幣を外部へ取り出すようになる。ここで、操作表示部８６、８８を支持するための支持部４が図１８に示すような所定位置にあるときには、操作者は第３搬送部６０の可動ガイド部分６０ａを操作しづらいため、当該操作者は第３搬送部６０の可動ガイド部分６０ａに手を触れる前に肘によって図９の実線や図１５、図２１等に示すように支持部４を筐体１ａから手前側に倒し、第３搬送部６０の可動ガイド部分６０ａを見やすくした後にこの可動ガイド部分６０ａを奥側上方に開くようになっている。このように、本実施の形態では、支持部４を筐体１ａから手前側に倒すことによって筐体１ａの内部における作業スペースを広げることができ、よって操作者にとっての作業性を向上させることができる。なお、図１５は、図１０に示す状態から操作表示部８６、８８の支持部４を前方に倒したときの外観を示す斜視図であり、図１６は、図１０に示す状態から操作表示部８６、８８の支持部４を前方に倒したときの第３搬送部６０の可動ガイド部分６０ａの構成を示す斜視図であり、図１７は、図１６に示す状態から第３搬送部６０の可動ガイド部分６０ａを奥側上方に開いたときの当該可動ガイド部分６０ａの構成を示す斜視図である。また、図２１は、図１５に示す状態から操作表示部８６、８８の支持部４を前方に倒したときの紙幣入金装置５０の内部構成の一部を示す側面図であり、図２２は、図２１に示す状態から第３搬送部６０の可動ガイド部分６０ａを上方に開いたときの紙幣入金装置５０の内部構成の一部を示す側面図である。なお、本実施の形態では、第２搬送部５８の可動ガイド部分５８ａを図１２や図１９に示すように手前側に開くと、第３搬送部６０の可動ガイド部分６０ａを奥側上方に開こうとしても当該可動ガイド部分６０ａが第２搬送部５８の可動ガイド部分５８ａに衝突してしまいこの可動ガイド部分６０ａを奥側上方に開くことができないようになっている。
【００６２】
また、筐体１ａ内で紙幣のジャム（詰まり）等の異常が発生したときに、第１搬送部５６や第３搬送部６０の搬送路で紙幣が詰まっていることを操作者が発見できなかった場合には、第２搬送部５８の搬送路に紙幣が詰まっていると推測されるため、当該操作者は軸５８ｐを中心として可動ガイド部分５８ａを図１８乃至図２０における時計回りの方向に回転させることにより当該可動ガイド部分５８ａを前方に開き（図１９参照）、可動ガイド部分５８ａと固定ガイド部分５８ｂとの間に形成される搬送路に残留する紙幣を外部へ取り出すようになる。なお、図１１は、図１に示す貨幣入金機１の上部カバー２を図１０に示すように上方に開いたときの第２搬送部５８の可動ガイド部分５８ａの構成を示す斜視図であり、図１２は、図１１に示す状態から第２搬送部５８の可動ガイド部分５８ａを前方に開いたときの当該可動ガイド部分５８ａの構成を示す斜視図である。
【００６３】
また、本実施の形態の貨幣入金機１では、各搬送部５６、５８の各可動ガイド部分５６ａ、５８ａが、一対の搬送部５６、５８の境界箇所側から開くようになっているため、第１搬送部５６の可動ガイド部分５６ａおよび第２搬送部５８の可動ガイド部分５８ａの境界から、可動ガイド部分５６ａを上方向に開くとともに可動ガイド部分５８ａを下方向に開くことができるようになる。このことにより、筐体１ａの内部で紙幣の詰まり等の異常が発生したときに、可動ガイド部分５６ａを上方向に開くとともに可動ガイド部分５８ａを下方向に開くことによって、第１搬送部５６や第２搬送部５８の搬送路で詰まった紙幣を容易に発見することができるようになる。
【００６４】
操作者は、上記の方法により紙幣入金装置５０における各搬送部５６、５８、６０の搬送路から紙幣を取り出した後、各搬送部５６、５８、６０の可動ガイド部分５６ａ、５８ａ、６０ａを閉じ、支持部４から手を離すことによって当該支持部４を図４に示すような元の位置に戻すとともに上部カバー２を閉じることにより、エラー解除動作が完了する。具体的には、支持部４を図４に示すような元の位置に戻すとともに上部カバー２を閉じ、上部カバー２が閉じたことが図示しない上部カバー開閉検知センサにより検知されると、操作表示部８６、８８には装置リセット中であることを示すガイダンス画面が表示され、その後、操作表示部８６、８８に表示される画面は待機画面に戻るようになる。
【００６５】
なお、硬貨入金装置１０において硬貨のジャム等の異常が発生したときにも、紙幣入金装置５０における各搬送部５６、５８、６０から紙幣を取り出す上記の方法と同様の方法で硬貨入金装置１０から硬貨を取り出してエラー解除を行うことができるようになっている。すなわち、操作者は上部カバー２を上方に開くことにより硬貨入金装置１０における回転盤１３や搬送部１４等にアクセスすることができるようになり、これらの回転盤１３や搬送部１４等から硬貨を取り出すことによりエラー解除を行うことができるようになる。
【００６６】
以上のような構成からなる本実施の形態の貨幣入金機１によれば、筐体１ａの内部において直列に並ぶよう複数の搬送部５６、５８、６０が設けられており、各搬送部５６、５８、６０は、筐体１ａの内部で移動可能な可動ガイド部分５６ａ、５８ａ、６０ａ（可動ガイド部）を有している。このような貨幣入金機１によれば、各搬送部５６、５８、６０の搬送路で紙幣の詰まり等の異常が発生した場合でも、筐体１ａの内部で可動ガイド部分５６ａ、５８ａ、６０ａを開くことにより当該搬送路から紙幣を取り除くことができるため、搬送部ユニットを筐体１ａの手前側に引き出すような構成の従来の貨幣入金機と比較して、貨幣入金機１を設置する際に必要なスペースを小さくすることができる。ここで、本実施の形態の貨幣入金機１では、筐体１ａの内部で紙幣を搬送する搬送部が複数に分割されており、分割された各搬送部５６、５８、６０にそれぞれ可動ガイド部分５６ａ、５８ａ、６０ａが設けられているため、紙幣の搬送方向における各可動ガイド部分５６ａ、５８ａ、６０ａの長さが比較的短くなり、よって各可動ガイド部分５６ａ、５８ａ、６０ａの移動範囲を筐体１ａの内部に設定しやすくなる。
【００６７】
また、本実施の形態の貨幣入金機１においては、上述したように、各搬送部５６、５８、６０は、各可動ガイド部分５６ａ、５８ａ、６０ａに対向するよう設けられた、筐体１ａの内部で位置が固定された固定ガイド部分５６ｂ、５８ｂ、６０ｂを更に有しており、各搬送部５６、５８、６０において、可動ガイド部分５６ａ、５８ａ、６０ａと、固定ガイド部分５６ｂ、５８ｂ、６０ｂとの間に形成される搬送路に沿って紙幣が搬送されるようになっている。
【００６８】
また、本実施の形態の貨幣入金機１においては、上述したように、直列に並ぶよう設けられた複数の搬送部５６、５８、６０のうち隣り合うある一対の搬送部５６、５８において、各搬送部５６、５８の各可動ガイド部分５６ａ、５８ａ（可動ガイド部）が、一対の搬送部５６、５８の境界箇所側から開くようになっている。この場合には、筐体１ａの内部で紙幣の詰まり等の異常が発生したときに、可動ガイド部分５６ａを上方向に開くとともに可動ガイド部分５８ａを下方向に開くことによって、第１搬送部５６や第２搬送部５８の搬送路で詰まった紙幣を容易に発見することができるようになる。また、各搬送部５６、５８の各可動ガイド部分５６ａ、５８ａが一対の搬送部５６、５８の境界箇所側から開くようになっている一対の搬送部５６、５８のうち、紙幣の搬送方向における下流側の搬送部である第２搬送部５８には、紙幣の識別を行う識別部５８ｃが設けられている。また、複数の搬送部５６、５８、６０の可動ガイド部分５６ａ、５８ａ、６０ａのうち一部の可動ガイド部分（具体的には、可動ガイド部分５８ａ）が識別部５８ｃの一部を構成している。
【００６９】
また、本実施の形態の貨幣入金機１においては、上述したように、複数の搬送部５６、５８、６０のうち少なくとも１つの搬送部（具体的には、第１搬送部５６および第３搬送部６０）の可動ガイド部分５６ａ、６０ａ（可動ガイド部）は透明または半透明の材料から構成されている。この場合には、筐体１ａの内部で紙幣の詰まり等の異常が発生したときに、筐体１ａの上部カバー２を開くだけで第１搬送部５６や第３搬送部６０の搬送路で詰まった紙幣を容易に発見することができるようになる。
【００７０】
また、本実施の形態の貨幣入金機１においては、上述したように、複数の搬送部５６、５８、６０のうち少なくとも１つの搬送部（具体的には、第１搬送部５６および第３搬送部６０）における、可動ガイド部分５６ａ、６０ａと固定ガイド部分５６ｂ、６０ｂとの間に形成される搬送路には複数のターン部分５６ｔ、６０ｔが設けられているとともに可動ガイド部分５６ａ、６０ａは各ターン部分５６ｔ、６０ｔの内側に配置されている。このような搬送路のターン部分５６ｔ、６０ｔでは紙幣がターン部分５６ｔ、６０ｔに沿って湾曲するため、紙幣の先端や破れ部分が可動ガイド部分５６ａ、６０ａ等の境目等に引っ掛かることで紙幣が詰まりやすくなるが、各ターン部分５６ｔ、６０ｔの内側に可動ガイド部分５６ａ、６０ｔを配置することにより各ターン部分５６ｔ、６０ｔで紙幣が詰まった場合に可動ガイド部分５６ａ、６０ａを開くことにより各ターン部分５６ｔ、６０ｔで詰まった紙幣を取り出しやすくなる。
【００７１】
また、本実施の形態の貨幣入金機１においては、上述したように、複数の搬送部５６、５８、６０のうち少なくとも１つの搬送部（具体的には、第２搬送部５８）の搬送路は筐体１ａの手前側に向かって斜め下向きとなるよう水平面および鉛直面に対してそれぞれ傾斜している。この場合には、第２搬送部５８の可動ガイド部分５８ａを開くことにより、この可動ガイド部分５８ａと固定ガイド部分５８ｂとの間に形成される搬送路に残留するクリップ等の異物が自重により固定ガイド部分５６ｂに沿って斜め下方に移動するようになる。また、搬送路が筐体１ａの手前側に向かって斜め下向きとなるよう水平面および鉛直面に対してそれぞれ傾斜している搬送部である第２搬送部５８と、当該第２搬送部５８の下方に位置する他の搬送部（具体的には、第３搬送部６０）とを区画する仕切り部材５９には、紙幣よりも小さい貫通穴５９ａが設けられている。この場合には、第２搬送部５８の可動ガイド部分５８ａを開くことにより固定ガイド部分５６ｂに沿って斜め下方に移動したクリップ等の異物が仕切り部材５９の各貫通穴５９ａを通過し、第３搬送部６０における軸６０ｐの近傍に位置する所定の異物集積領域６１に当該異物が集積されるようになる。このことにより操作者はクリップ等の異物を取り出しやすくなる。
【００７２】
また、本実施の形態の貨幣入金機１においては、上述したように、開閉可能となっている上部カバー２が筐体１ａに設けられており、この上部カバー２を開くことにより筐体１ａの内部に設けられた硬貨入金装置１０の搬送部１４や紙幣入金装置５０の各搬送部５６、５８、６０にアクセスすることができるようになっている。また、筐体１ａの外部から内部に硬貨を投入するための投入部１２の投入口や筐体１ａの外部から内部に紙幣を投入するための投入部５２の投入口が上部カバー２に設けられており、これらの投入口を介して筐体１ａの外部から内部に投入された硬貨や紙幣が搬送部１４や各搬送部５６、５８、６０により搬送されるようになっている。また、上部カバー２は筐体１ａの上部に設けられており、当該上部カバー２は筐体１ａから上方に開くようになっている。
【００７３】
なお、本実施の形態による貨幣入金機１は、上述したような態様に限定されることはなく、様々な変更を加えることができる。
【００７４】
上記の構成の紙幣入金装置５０では、各搬送部５６、５８、６０はそれぞれ可動ガイド部分５６ａ、５８ａ、６０ａおよび固定ガイド部分５６ｂ、５８ｂ、６０ｂから構成されているが、各搬送部５６、５８、６０の構成はこのような態様に限定されることはない。変形例に係る紙幣入金装置において、筐体の内部で直列に並ぶよう設けられた複数の搬送部の各々が一対の可動ガイド部を有しており（すなわち、図５等における各搬送部５６、５８、６０において、固定ガイド部分５６ｂ、５８ｂ、６０ｂの代わりに、筐体１ａの内部で移動可能となっている他の可動ガイド部が各可動ガイド部分５６ａ、５８ａ、６０ａに対向するよう複数設けられており）、各搬送部においてこれらの一対の可動ガイド部の間で紙幣が搬送されるようになっていてもよい。このような変形例に係る紙幣入金装置を備えた貨幣入金機でも、筐体の内部において直列に並ぶよう設けられた複数の搬送部が、筐体の内部で移動可能な可動ガイド部を有していることにより、各搬送部の搬送路で紙幣の詰まり等の異常が発生した場合でも、筐体の内部で可動ガイド部を開くことにより当該搬送路から紙幣を取り除くことができるため、搬送部ユニットを筐体の手前側に引き出すような構成の従来の貨幣入金機と比較して、当該貨幣入金機を設置する際に必要なスペースを小さくすることができる。
【００７５】
また、硬貨の入金処理等の様々な処理を行う硬貨処理装置において、筐体の内部において複数の搬送部が直列に並ぶよう設けられており、硬貨の搬送を行う各搬送部が、筐体の内部で移動可能な可動ガイド部を有していてもよい。このような硬貨処理装置では、各搬送部において、可動ガイド部と、当該可動ガイド部に対向するよう設けられた、筐体の内部で移動可能な他の可動ガイド部または筐体の内部で位置が固定された固定ガイド部との間に形成される搬送路に沿って硬貨が搬送されるようになる。このような変形例に係る硬貨処理装置でも、硬貨の搬送を行う各搬送部の搬送路で硬貨の詰まり等の異常が発生した場合に、筐体の内部で可動ガイド部を開くことにより当該搬送路から硬貨を取り除くことができるため、搬送部ユニットを筐体の手前側に引き出すような構成の従来の硬貨処理装置と比較して、当該硬貨処理装置を設置する際に必要なスペースを小さくすることができる。
【００７６】
また、本発明による貨幣処理装置は、貨幣の入金処理や計数処理を行う貨幣入金機に限定されることはない。本発明による貨幣処理装置として、貨幣の入金処理および出金処理をそれぞれ行うことができる貨幣入出金機が用いられてもよい。また、本発明による有価媒体処理装置は、貨幣の処理を行うものに限定されることはなく、貨幣以外の有価媒体（例えば、小切手や商品券等の有価証券）の処理を行うものであってもよい。このような貨幣入出金機や有価媒体処理装置にも本発明の原理を適用することができる。
【符号の説明】
【００７７】
１      貨幣入金機
１ａ    筐体
１ｂ、１ｃ  扉
２      上部カバー
２ｐ    軸
４      支持部
４ｐ    軸
１０    硬貨入金装置
１２    投入部
１２ａ  シャッタ
１３    回転盤
１４    搬送部
１４ａ  搬送ベルト
１４ｂ、１４ｃ  プーリ
１６    識別部
１８    振分機構
２０    開口
２２    一時保留用シュート
２４    リジェクト用シュート
２６    一時保留部
２８    リジェクト部
３０    硬貨返却箱
３０ａ  把持部分
３１    ロック部
３２    収納用シュート
４０    硬貨収納カセット
５０    紙幣入金装置
５２    投入部
５２ａ  シャッタ
５４    繰出機構
５６    第１搬送部
５６ａ  可動ガイド部分
５６ｂ  固定ガイド部分
５６ｐ  軸
５６ｔ  ターン部分
５８    第２搬送部
５８ａ  可動ガイド部分
５８ｂ  固定ガイド部分
５８ｃ  識別部
５８ｄ  取っ手
５８ｐ  軸
５９    仕切り部材
５９ａ  貫通穴
６０    第３搬送部
６０ａ  可動ガイド部分
６０ｂ  固定ガイド部分
６０ｃ  分岐部
６０ｐ  軸
６０ｔ  ターン部分
６１    異物集積領域
６２    リジェクト部
６４    一時保留部
６５    扉ロック部
６６    照明部
７０    紙幣収納カセット
８０    本体制御部
８１    硬貨制御部
８２    紙幣制御部
８４    印字部
８６、８８  操作表示部
９０    読取部
９２    記録媒体
９２ａ  記憶部
９４    記憶部
９８    通信インターフェース部
【図１】
2017083983.tif 000003
【図２】
2017083983.tif 000004
【図３】
2017083983.tif 000005
【図４】
2017083983.tif 000006
【図５】
2017083983.tif 000007
【図６】
2017083983.tif 000008
【図７】
2017083983.tif 000009
【図８】
2017083983.tif 000010
【図９】
2017083983.tif 000011
【図１０】
2017083983.tif 000012
【図１１】
2017083983.tif 000013
【図１２】
2017083983.tif 000014
【図１３】
2017083983.tif 000015
【図１４】
2017083983.tif 000016
【図１５】
2017083983.tif 000017
【図１６】
2017083983.tif 000018
【図１７】
2017083983.tif 000019
【図１８】
2017083983.tif 000020
【図１９】
2017083983.tif 000021
【図２０】
2017083983.tif 000022
【図２１】
2017083983.tif 000023
【図２２】
2017083983.tif 000024